(57)【要約】【課題】パチンコ遊技機とスロットマシンとを任意選択的に設置させた場合であっても、パチンコ遊技機又はスロットマシンに対向した位置に容易かつ確実に設置させることができる遊技機用椅子を提供する。【解決手段】パチンコ遊技機Ｐ及びスロットマシンＳから成る遊技機を任意選択的に設置可能な島設備のパチンコ遊技機Ｐ又はスロットマシンＳと対向した位置に設置されて遊技者が着座しつつ遊技可能とされた遊技機用椅子１３であって、対向した位置に設置される遊技機に応じて前後方向又は左右方向に移動自在としつつ床に対して固定させ得る固定手段Ｎを具備したものである。【選択図】図２４
2014108235.tif 000002
【特許請求の範囲】
【請求項１】
パチンコ遊技機及びスロットマシンから成る遊技機を任意選択的に設置可能な島設備のパチンコ遊技機又はスロットマシンと対向した位置に設置されて遊技者が着座しつつ遊技可能とされた遊技機用椅子であって、
対向した位置に設置される遊技機に応じて前後方向又は左右方向に移動自在としつつ床に対して固定させ得る固定手段を具備したことを特徴とする遊技機用椅子。
【請求項２】
遊技者が着座可能な着座部と、該着座部の下部から延設された脚部とを有するとともに、前記固定手段は、前記脚部の下端部に形成された受け体と、床に固定されるとともに前記受け体を任意位置で固定可能な固定プレートとから成ることを特徴とする請求項１記載の遊技機用椅子。
【請求項３】
前記島設備は、前記パチンコ遊技機及びスロットマシンが任意位置に設置可能とされたことを特徴とする請求項１又は請求項２記載の遊技機用椅子。
【発明の詳細な説明】
【技術分野】
【０００１】
本発明は、パチンコ遊技機及びスロットマシンから成る遊技機を任意選択的に設置可能な島設備のパチンコ遊技機又はスロットマシンと対向した位置に設置されて遊技者が着座しつつ遊技可能とされた遊技機用椅子に関するものである。
【背景技術】
【０００２】
パチンコ遊技機の島設備は、パチンコ店内ホールに設置され、複数のパチンコ遊技機が横並びに配設されるとともに、それらパチンコ遊技機と対向した位置に遊技者が着座しつつ遊技可能とされた遊技機用椅子が設置されている。一方、パチスロ等のスロットマシンの島設備は、パチンコ遊技機の島設備と同様、パチンコ店内ホールに設置され、複数のスロットマシンが横並びに配設されるとともに、それらスロットマシンと対向した位置に遊技者が着座しつつ遊技可能とされた遊技機用椅子が設置されている。なお、かかる先行技術は、文献公知発明に係るものでないため、記載すべき先行技術文献情報はない。
【発明の概要】
【発明が解決しようとする課題】
【０００３】
しかしながら、上記従来の遊技機用椅子においては、以下の如き問題があった。
パチンコ遊技機が設置された島設備をスロットマシンが設置された島設備に変更する場合やスロットマシンが設置された島設備をパチンコ遊技機が設置された島設備に変更する場合、島設備を解体して新たに島設備を設置する必要があり、当該変更に伴うコストが嵩んでしまうという問題があることから、本出願人は、一つの島設備において、パチンコ遊技機とスロットマシンとを任意選択的に設置可能な島設備を検討するに至った。
【０００４】
しかし、そのようなパチンコ遊技機とスロットマシンとを任意選択的に設置した島設備においては、パチンコ遊技機とスロットマシンとで付帯する設備（例えば、各遊技機に隣接して設置される貸出機等の台間装置等）の幅寸法が互いに相違することから、島設備に対する遊技機の設置位置が異なってしまうことがある。この場合、遊技機に対向して設置すべき遊技機用椅子の位置を遊技機の位置に応じて移動させる必要があることから、例えば固定のためのアンカーを遊技場の床から抜いて、新たな設置位置に当該アンカーを打ち直す必要があり、コストが嵩んでしまうという問題があった。
【０００５】
本発明は、このような事情に鑑みてなされたもので、パチンコ遊技機とスロットマシンとを任意選択的に設置させた場合であっても、パチンコ遊技機又はスロットマシンに対向した位置に容易かつ確実に設置させることができる遊技機用椅子を提供することにある。
【課題を解決するための手段】
【０００６】
請求項１記載の発明は、パチンコ遊技機及びスロットマシンから成る遊技機を任意選択的に設置可能な島設備のパチンコ遊技機又はスロットマシンと対向した位置に設置されて遊技者が着座しつつ遊技可能とされた遊技機用椅子であって、対向した位置に設置される遊技機に応じて前後方向又は左右方向に移動自在としつつ床に対して固定させ得る固定手段を具備したことを特徴とする。
【０００７】
請求項２記載の発明は、請求項１記載の遊技機用椅子において、遊技者が着座可能な着座部と、該着座部の下部から延設された脚部とを有するとともに、前記固定手段は、前記脚部の下端部に形成された受け体と、床に固定されるとともに前記受け体を任意位置で固定可能な固定プレートとから成ることを特徴とする。
【０００８】
請求項３記載の発明は、請求項１又は請求項２記載の遊技機用椅子において、前記島設備は、前記パチンコ遊技機及びスロットマシンが任意位置に設置可能とされたことを特徴とする。
【発明の効果】
【０００９】
請求項１の発明によれば、対向した位置に設置される遊技機に応じて前後方向又は左右方向に移動自在としつつ床に対して固定させ得る固定手段を具備したので、パチンコ遊技機とスロットマシンとを任意選択的に設置させた場合であっても、パチンコ遊技機又はスロットマシンに対向した位置に遊技機用椅子を容易かつ確実に設置させることができる。
【００１０】
請求項２の発明によれば、遊技者が着座可能な着座部と、該着座部の下部から延設された脚部とを有するとともに、固定手段は、脚部の下端部に形成された受け体と、床に固定されるとともに受け体を任意位置で固定可能な固定プレートとから成るので、より容易かつ確実に、パチンコ遊技機又はスロットマシンに対向した位置に遊技機用椅子を設置させることができる。
【００１１】
請求項３の発明によれば、島設備は、パチンコ遊技機及びスロットマシンが任意位置に設置可能とされたので、パチンコ遊技機とスロットマシンとを混合させつつ設置することができる島設備に対応して遊技機用椅子を規定の位置に設置することができる。
【図面の簡単な説明】
【００１２】
【図１】本発明の実施形態に係る遊技機用椅子が適用される島設備を示す全体正面図
【図２】同島設備を示す横断面図
【図３】同島設備における載置手段を示す全体正面図
【図４】同載置手段（載置台が前後方向第１位置にある状態）を示す縦断面図
【図５】同載置手段（載置台が前後方向第２位置にある状態）を示す縦断面図
【図６】同島設備における案内部を示す断面図
【図７】同載置手段における載置台を示す平面図及び背面図
【図８】図７におけるＶＩＩＩ−ＶＩＩＩ線断面図
【図９】同島設備における他の載置手段を示す全体正面図
【図１０】同島設備における遊技球案内手段及びメダル案内手段を示す平面図
【図１１】同島設備における遊技球案内手段を示す側面図
【図１２】同島設備におけるメダル案内手段を示す側面図及び平面図
【図１３】同島設備における遊技球案内手段及びメダル案内手段を示す断面図
【図１４】同島設備における遊技球回収手段及びメダル回収手段を示す正面図
【図１５】同島設備における遊技球回収手段及びメダル回収手段を示す平面図
【図１６】同島設備における遊技球回収手段（メダル回収手段）を示す断面図
【図１７】同島設備における遊技球補給手段及びメダル補給手段を示す平面図
【図１８】同島設備における遊技球補給手段及びメダル補給手段を示す断面図
【図１９】同島設備における遊技球補給手段における第１案内手段を示す正面図
【図２０】同島設備におけるメダル補給手段における第２案内手段を示す正面図
【図２１】本発明の実施形態に係る遊技機用椅子を示す側面図
【図２２】同遊技機用椅子の固定手段を構成する受け体を示す平面図及び側面図
【図２３】同遊技機用椅子の固定手段を構成する固定プレートを示す平面図及び側面図
【図２４】同遊技機用椅子を床に固定させた状態を示す断面図
【図２５】同遊技機用椅子の固定位置を変更させた状態を示す模式図
【発明を実施するための形態】
【００１３】
以下、本発明の実施形態について図面を参照しながら具体的に説明する。
本実施形態に係る遊技機用椅子は、パチンコ遊技機及びスロットマシンから成る遊技機を任意選択的に設置可能な島設備のパチンコ遊技機又はスロットマシンと対向した位置に設置されて遊技者が着座しつつ遊技可能とされたものである。本実施形態において適用される島設備は、パチンコ遊技店内のホール等、遊技場の床に固定されるもので、図１、２に示すように、遊技球を遊技媒体として使用して遊技するパチンコ遊技機Ｐと、メダルを遊技媒体として使用して遊技するスロットマシンＳ（所謂「パチスロ」と称される遊技機）とから成る遊技機を任意に混合させて設置可能とされるとともに、載置手段１と、遊技球回収手段４と、メダル回収手段５と、遊技球案内手段６と、メダル案内手段８と、遊技球補給手段１１と、メダル補給手段１２とを有して構成されている。
【００１４】
本実施形態に係る島設備は、床面に固設されたフレーム部Ｆを筐体として構成されており、当該フレーム部Ｆの所定位置には、複数の柱部Ｈ１〜Ｈ５が取り付けられるとともに、その隣接する柱部Ｈの間の部位には、載置台３を有した載置手段１が取り付けられている。かかる載置手段１は、図３〜５に示すように、左右一対の側板部２ａと、当該側板部２ａを連結する下板部２ｃ及び上板部２ｂとから成る枠体２を有し、載置台３が当該枠体２の所定部位に取り付けられて構成されている。
【００１５】
枠体２は、一対の側板部２ａと、一対の側板部２ａの下部を互いに連結する下板部２ｃと、一対の側板部２ａの上部を互いに連結する上板部２ｂとにより略ロ字状に構成されるとともに、載置台３を取り付ける位置には固定板部２ｄが固定されている。かかる固定板部２ｄは、上板部２ｂ及び下板部２ｃと同様、一対の側板部２ａを互いに連結するものとされるとともに、載置台３を前後方向第１位置Ｐｂ（図４参照）と前後方向第２位置Ｓｂ（図５参照）との何れかで固定可能とされている。
【００１６】
より具体的には、本実施形態に係る載置台３は、図７、８に示すように、下側板部３ａと上側板部３ｂとを接合（接着等）させて成るもので、所定位置には、一端側に前進位置用ボルト挿通位置ｈ１及び他端側に後退位置用ボルト挿通位置ｈ２がそれぞれ設定された長孔ｈが形成されている。なお、同図中符号ｂは、下側板部３ａの突端部及び上面と、上側板部３ｂの突端部及びその近傍を覆って保護する金属製板材を示している。
【００１７】
そして、固定板部２ｄには、載置台３の前進位置用ボルト挿通位置ｈ１又は後退位置用ボルト挿通位置ｈ２と合致し得るボルト孔がそれぞれ形成されており、図４に示すように、前進位置用ボルト挿通位置ｈ１と固定板部２ｄのボルト孔を合致させつつボルトＢ２を螺合させることにより、載置台３を前後方向第１位置Ｐｂにて固定板部２ｄに固定させ得るとともに、図５に示すように、後退位置用ボルト挿通位置ｈ２と固定板部２ｄのボルト孔を合致させつつボルトＢ２を螺合させることにより、載置台３を前後方向第２位置Ｓｂにて固定板部２ｄに固定させ得るよう構成されている。
【００１８】
すなわち、本実施形態に係る載置台３は、載置された遊技機（パチンコ遊技機Ｐ又はスロットマシンＳ）に応じて前後方向（図３における紙面垂直方向）に移動して所定位置にて固定可能とされており、パチンコ遊技機Ｐが載置された状態の前後方向第１位置Ｐｂ（図４参照）と、スロットマシンＳが載置された状態の前後方向第２位置Ｓｂ（図５参照）との間で移動可能とされるとともに、当該前後方向第１位置Ｐｂの方が前後方向第２位置Ｓｂより前方の位置（遊技者側に突出した位置）に設定されている。
【００１９】
また、枠体２を構成する上板部２ｂは、載置台３に載置された遊技機（パチンコ遊技機Ｐ又はスロットマシンＳ）の上部を支持し得る位置に設定されている。しかして、本実施形態に係る載置手段１は、枠体２に対して載置台３が前後に移動可能とされ、かつ、当該載置台３に載置された遊技機の上部を上板部２ｂにて支持するものとされている。これにより、載置台３上に載置された遊技機（パチンコ遊技機Ｐ又はスロットマシンＳ）を枠体２に対して確実かつ安定して固定することができる。
【００２０】
さらに、載置手段１が取り付けられる柱部（Ｈ１〜Ｈ５）には、図６に示すように、載置手段１を構成する枠体２の上下方向に対する移動を案内する案内部Ｈ２ａが形成されている。なお、柱部Ｈ２に形成された案内部Ｈ２ａについて説明するが、他の柱部に形成された案内部も同様の構成である。案内部Ｈ２ａは、柱部（Ｈ１〜Ｈ５）の内壁に上下方向に延びて形成された溝形状から成り、この溝形状に枠体２の側板部２ａが上下方向に移動可能に嵌合されることにより、枠体２の上下方向に対する移動を案内し得るようになっている。
【００２１】
一方、下板部２ｃの両端部には、それぞれ金属製の固定ブラケットａが取り付けられており、これら固定ブラケットａを介してボルトＢ１を柱部（Ｈ１〜Ｈ５）に対して螺合させることにより、枠体２及び載置台３が所定高さにて固定され得るようになっている。このように、本実施形態に係る載置手段１は、遊技機を載置可能な載置台３と枠体２とが島設備に対して上下方向に移動可能とされており、載置台３に載置される遊技機に応じて上下方向に移動して所定高さにて固定可能とされているのである。
【００２２】
また、本実施形態に係る載置台３は、図２に示すように、枠体２と共に上下方向に移動可能とされ、パチンコ遊技機Ｐが載置された状態の第１位置Ｐａと、スロットマシンＳが載置された状態の第２位置Ｓａとの間で移動可能とされるとともに、当該第１位置Ｐａの方が第２位置Ｓａより高い位置に設定されている。すなわち、柱部（Ｈ１〜Ｈ５）の内壁には、上下一対のボルト孔が形成されており、固定ブラケットａに形成されたボルト孔が上側のボルト孔と合致した状態でボルトＢ１にて螺合させると、パチンコ遊技機Ｐが載置された状態の第１位置Ｐａにて載置手段１を固定させ得るとともに、固定ブラケットａに形成されたボルト孔が下側のボルト孔と合致した状態でボルトＢ１にて螺合させると、スロットマシンＳが載置された状態の第２位置Ｓａにて載置手段１を固定させ得るようになっている。
【００２３】
なお、枠体２の側板部２ａには、樹脂材から成るブッシュＧが取り付けられており、当該ブッシュＧを介在させつつ案内部Ｈ２ａに側板部２ａが嵌合した状態とされている。これにより、載置手段１を上下方向に移動させる際、ブッシュＧを介して枠体２の側板部２ａを案内部Ｈ２ａにて円滑に摺動させることができるとともに、当該案内部Ｈ２ａに対する側板部２ａの嵌合をより確実に行わせることができる。
【００２４】
以上のように、本実施形態に係る載置台３は、パチンコ遊技機Ｐを載置させる際は、固定板部２ｄに対して前後方向第１位置Ｐｂに固定されるとともに、柱部（Ｈ１〜Ｈ５）に対して上側の位置である第１位置Ｐａに固定され、かつ、スロットマシンＳを載置させる際は、固定板部２ｄに対して前後方向第２位置Ｓｂに固定されるとともに、柱部（Ｈ１〜Ｈ５）に対して下側の位置である第２位置Ｓａに固定されるのである。そして、前後方向第１位置Ｐｂの方が前後方向第２位置Ｓｂより前方の位置（遊技者側に突出した位置）に設定されているとともに、第１位置Ｐａの方が第２位置Ｓａより高い位置に設定されている。
【００２５】
また、本実施形態においては、隣接する柱部（Ｈ１〜Ｈ５）の離間寸法を任意設定することにより、上記の如く遊技機を２台左右に並べて載置可能な載置手段１が取り付けられているとともに、図９に示すように、遊技機を１台載置可能な載置手段１’（一対の側板部２’ａと、下板部２’ｃ及び上板部２’ｂと、固定板部２’ｄとを有する載置手段１’）が取り付けられている。かかる載置手段１’は、載置台３’の幅寸法が遊技機１台分に設定された点においては幅寸法が遊技機２台分に設定された載置手段１と相違するものの、その他においては、上記した載置手段１と同様の構成及び機能を有するものである。
【００２６】
遊技球回収手段４は、パチンコ遊技機Ｐから排出された遊技球を回収するためのもので、図１に示すように、島設備の長手方向に沿って延設された搬送コンベアにて構成されている。かかる遊技球回収手段４は、図１４〜１６に示すように、駆動源としてのモータＭ１と、該モータＭ１の駆動力により回動する搬送体ｃ１と、該搬送体ｃ１を懸架する駆動プーリＰ１及び従動プーリＰ２（図１参照）とを有して構成されている。
【００２７】
搬送体ｃ１は、樹脂部品を長手方向に複数組み合わせた無端状部材から成るもので、図１６（ａ）に示すように、その搬送面には、搬送部ｅと、凸部ｄと、孔部ｇとが形成されている。そして、パチンコ遊技機Ｐから排出されて搬送体ｃ１に至った遊技球ｙは、同図に示すように、その下部が孔部ｇに嵌りつつ当該搬送体ｃ１の回動方向に搬送されることとなる。また、搬送体ｃ１の搬送部（図中上部の往動側）の下面には、同図に示すように、板材ｆが延設されており、当該板材ｆの上面において搬送体ｃ１の搬送部が摺動し得るよう構成されている。
【００２８】
メダル回収手段５は、スロットマシンＳから排出されたメダルを回収するためのもので、図１に示すように、島設備の長手方向に沿って延設された搬送コンベアにて構成されている。かかるメダル回収手段５は、図１４〜１６に示すように、駆動源としてのモータＭ２と、該モータＭ２の駆動力により回動する搬送体ｃ２と、該搬送体ｃ２を懸架する駆動プーリＰ３及び従動プーリＰ４（図１参照）とを有して構成されている。
【００２９】
搬送体ｃ２は、搬送体ｃ１と同様、樹脂部品を長手方向に複数組み合わせた無端状部材から成るもので、図１６（ｂ）に示すように、その搬送面には、搬送部ｅと、凸部ｄと、孔部ｇとが形成されている。そして、スロットマシンＳから排出されて搬送体ｃ２に至ったメダルｑは、同図に示すように、凸部ｄに引っ掛かりつつ当該搬送体ｃ２の回動方向に搬送されることとなる。また、搬送体ｃ２の搬送部（図中上部の往動側）の下面には、同図に示すように、板材ｆが延設されており、当該板材ｆの上面において搬送体ｃ２の搬送部が摺動し得るよう構成されている。
【００３０】
ここで、本実施形態においては、図１３に示すように、遊技球回収手段４を構成する搬送コンベアは、島設備のフレームＦａ上に配設されるとともに、メダル回収手段５を構成する搬送コンベアは、フレームＦａより下方に位置する島設備のフレームＦｂ上に配設されている。すなわち、本実施形態においては、島設備内において、遊技球回収手段４とメダル回収手段５とが上下に並設されるとともに、遊技球回収手段４の方がメダル回収手段５より上側に位置しているのである。
【００３１】
また、本実施形態に係る遊技球回収手段４及びメダル回収手段５は、それぞれ独立した駆動源としてのモータＭ１、Ｍ２を具備するとともに、それぞれが任意速度で駆動され得るよう構成されている。これにより、遊技球回収手段４の搬送体ｃ１の回動速度（搬送速度）とメダル回収手段５の搬送体ｃ２の回動速度（搬送速度）とを異ならせることができ、例えば遊技球回収手段４の搬送体ｃ１の回動速度をメダル回収手段５の搬送体ｃ２の回動速度より遅く設定することにより、遊技球を確実かつ安定して搬送させることができる。なお、図１５中符号Ｍ１ａ、Ｍ２ａは、モータＭ１、Ｍ２の出力軸を示しており、当該出力軸Ｍ１ａと駆動プーリＰ１、及び出力軸Ｍ２ａと駆動プーリＰ３とが連結され、モータＭ１、Ｍ２の駆動力が搬送体ｃ１、ｃ２にそれぞれ伝達され得るようになっている。
【００３２】
さらに、本実施形態に係る遊技球回収手段４及びメダル回収手段５は、図１３に示すように、島設備の幅方向Ｗに対して中央で延設されている。すなわち、遊技球回収手段４及びメダル回収手段５は、島設備の一方の面に設置された遊技機（例えば、同図に示すように、左側の面に設置されたパチンコ遊技機Ｐ）との間の離間寸法と、他方の面に設置された遊技機（例えば、同図に示すように、右側の面に設置されたスロットマシンＳ）との間の離間寸法とが略同一とされつつ島設備の長手方向に延設されているのである。
【００３３】
遊技球回収手段４の上部には、図１１、１３に示すように、パチンコ遊技機Ｐから排出された遊技球を遊技球回収手段４まで案内する遊技球案内手段６が配設されている。かかる遊技球案内手段６は、遊技球回収手段４の左右に配設された受け部材から成り、それぞれの遊技球案内手段６は、支持フレーム７にて揺動可能に支持されている。具体的には、遊技球案内手段６は、支持フレーム７に形成された揺動軸Ｌを中心に揺動可能とされ、遊技球を受け得る受け位置（図１１の左側の状態）と、上方に跳ね上げられた跳ね上げ位置（同図の右側の状態）との間を移動可能とされている。
【００３４】
また、遊技球案内手段６は、図１０に示すように、載置手段１（載置台３）の幅と対応した幅寸法に設定されており、島設備の長手方向に亘って複数形成されている。しかして、パチンコ遊技機Ｐが載置された載置手段１に対応する遊技球案内手段６は、遊技球を受け得る受け位置とされ、スロットマシンＳが載置された載置手段１に対応する遊技球案内手段６は、上方に跳ね上げられた跳ね上げ位置とされる。なお、遊技球案内手段６は、遊技球を受け得る受け位置のとき、遊技球回収手段４に向かって所定角度傾斜した状態とされている。これにより、パチンコ遊技機Ｐから排出されて落下した遊技球は、遊技球案内手段６にて受けられ、そこから自重により転がって遊技球回収手段４に至るようになっている。
【００３５】
一方、載置手段１に取り付けられた載置台３は、図７、１０に示すように、遊技機を載置する部位の近傍に切欠きｋが形成されており、その載置台３に載置されたスロットマシンＳから排出されたメダルをメダル回収手段５まで案内するメダル案内手段８が当該切欠きｋに取付可能とされている。かかるメダル案内手段８は、図１２に示すように、上部に形成された開口部８ａにてメダルを受け得るとともに、そのメダルを下部に形成された開口部８ｂから排出させ得るものである。
【００３６】
このメダル案内手段８は、スロットマシンＳが載置された載置手段１の切欠きｋに対して任意選択的に取り付けられるものとされ、当該切欠きｋに取り付けられた状態において、上部の開口部８ａが上方を臨むようになっており、スロットマシンＳから排出されて落下するメダルを受け得るとともに、下方の開口部８ｂがメダル回収手段５に臨むようになっており、上方の開口部８ａで受けたメダルをメダル回収手段５まで案内し得るよう構成されている。
【００３７】
なお、スロットマシンＳが載置された載置手段１にパチンコ遊技機Ｐを載置させる場合、メダル案内手段８を切欠きｋから取り外すとともに、遊技球案内手段６を跳ね上げ位置から受け位置に揺動させる。また、パチンコ遊技機Ｐが載置された載置手段１にスロットマシンＳを載置させる場合、遊技球案内手段６を受け位置から跳ね上げ位置に揺動させるとともに、メダル案内手段８を切欠きｋに取り付けるものとされている。
【００３８】
本実施形態に係る島設備の一方の端部（遊技球及びメダルが搬送される側）には、図１に示すように、遊技球揚送手段９及びメダル揚送手段１０がそれぞれ配設されており、遊技球回収手段４で搬送された遊技球を遊技球揚送手段９にて上方に揚送するとともに、メダル回収手段５で搬送されたメダルをメダル揚送手段１０にて上方に揚送し得るよう構成されている。そして、これら遊技球揚送手段９及びメダル揚送手段１０にて揚送された遊技球及びメダルは、それぞれ遊技球補給手段１１及びメダル補給手段１２に至るようになっている。
【００３９】
遊技球補給手段１１及びメダル補給手段１２は、島設備の上部において当該島設備の長手方向に沿って延設されたもので、図１７、１８に示すように、左右に並設された搬送コンベアから成る。すなわち、図１８に示すように、搬送コンベアを構成する本体ｆ１の略中央に仕切り部材ｆ２を取り付けるとともに、当該仕切り部材ｆ２で隔成された同図右側の部位を遊技球を搬送するための遊技球補給手段１１とし、同図左側の部位をメダルを搬送するためのメダル補給手段１２としているのである。
【００４０】
遊技球補給手段１１は、パチンコ遊技機Ｐに遊技球を補給するためのもので、図１に示すように、モータＭ３の出力軸と連結された駆動プーリＰ５と従動プーリＰ６との間に懸架されつつ回動可能な無端状の搬送ベルト１１ａを有して構成されている。また、本体ｆ１の側面（図１７、１８中右側の側面）には、当該図１７、１８に示すように、延設部ｆ３が形成されており、当該延設部ｆ３の縁部には側壁が立設されており、その側壁には、図１７に示すように、複数の開口部ｔ１が形成されている。
【００４１】
かかる開口部ｔ１は、遊技機（パチンコ遊技機Ｐ及びスロットマシンＳ）が設置される部位に対応した位置にそれぞれ形成されており、パチンコ遊技機Ｐが設置される部位に対応した開口部ｔ１には、パチンコ遊技機Ｐに遊技球を案内する第１案内手段Ａ１が取り付け可能とされている。この第１案内手段Ａ１は、図１９に示すように、パチンコ遊技機Ｐまで延設された案内部材Ｄ１（例えば蛇腹状部材）が取り付けられており、延設部ｆ３を転がった遊技球を受け得るとともに、その遊技球を案内部材Ｄ１を介してパチンコ遊技機Ｐまで案内し得るよう構成されている。
【００４２】
メダル補給手段１２は、スロットマシンＳにメダルを補給するためのもので、図１に示すように、モータＭ３の出力軸と連結された駆動プーリＰ５と従動プーリＰ６との間に懸架されつつ回動可能な無端状の搬送ベルト１２ａを有して構成されている。すなわち、遊技球補給手段１１及びメダル補給手段１２は、駆動源としてのモータＭ３を共用しつつそれぞれ独立した搬送ベルト１１ａ、１２ａを有しているのである。なお、遊技球補給手段１１及びメダル補給手段１２のそれぞれにモータ等の駆動源を配設し、搬送ベルト１１ａ、１２ａをそれぞれ回動させるようにしてもよい。
【００４３】
また、本体ｆ１の側面（図１７、１８中左側の側面）には側壁が立設されており、その側壁には、図１７に示すように、複数の開口部ｔ２が形成されている。かかる開口部ｔ２は、遊技機（パチンコ遊技機Ｐ及びスロットマシンＳ）が設置される部位に対応した位置にそれぞれ形成されており、パチンコ遊技機Ｐが設置される部位に対応した開口部ｔ２には、蓋部Ｉが取り付けられるとともに、スロットマシンＳが設置される部位に対応した開口部ｔ２には、スロットマシンＳにメダルを案内する第２案内手段Ａ２が取り付け可能とされている。
【００４４】
この第２案内手段Ａ２は、図２０に示すように、スロットマシンＳまで延設された案内部材Ｄ２（例えば蛇腹状部材）が取り付けられており、振り分け手段Ｅにて振り分けられたメダルを受け得るとともに、そのメダルを案内部材Ｄ２を介してスロットマシンＳまで案内し得るよう構成されている。かかる振り分け手段Ｅは、振り分け板材Ｅａと、通電により作動して振り分け板材Ｅａを上下動させるソレノイドＥｂとを有しており、当該振り分け板材ＥａがソレノイドＥｂの作動により下降（図２０における２点鎖線で示す状態から実線で示す状態に移動）すると、搬送ベルト１２ａに近接し、当該搬送ベルト１２ａにて搬送されるメダルが第２案内手段Ａ２側に至るようになっている。しかして、所望の振り分け手段ＥにおけるソレノイドＥｂを選択的に通電することにより、搬送ベルト１２にて搬送される過程のメダルを第２案内手段Ａ２によりスロットマシンＳまで案内して補給することが可能とされている。
【００４５】
上記したように、本実施形態に係る島設備においては、遊技球補給手段１１からパチンコ遊技機Ｐに遊技球を案内する第１案内手段Ａ１と、メダル補給手段１２からスロットマシンＳにメダルを案内する第２案内手段Ａ２とを有するとともに、設置される遊技機（パチンコ遊技機Ｐ又はスロットマシンＳ）に応じて第１案内手段Ａ１及び第２案内手段Ａ２が遊技球補給手段１１又はメダル補給手段１２の任意位置に設置可能とされている。
【００４６】
しかるに、遊技球補給手段１１にてパチンコ遊技機Ｐに補給された遊技球は、当該パチンコ遊技機Ｐにて遊技媒体として使用された後、遊技球回収手段４にて再び回収されることとなり、島設備内において循環することとなる。また、メダル補給手段１２にてスロットマシンＳに補給されたメダルは、当該スロットマシンＳにて遊技媒体として使用された後、メダル回収手段５にて再び回収されることとなり、島設備内において循環することとなる。
【００４７】
ここで、本実施形態に係る遊技機用椅子１３は、上記の如くパチンコ遊技機Ｐ及びスロットマシンＳから成る遊技機を任意選択的に設置可能な島設備のパチンコ遊技機Ｐ又はスロットマシンＳと対向した位置に設置されたもので、図２１に示すように、遊技者が着座しつつ遊技可能とされたものである。この遊技機用椅子１３は、同図に示すように、遊技者が着座可能な着座部１３ａと、着座部１３ａの下部から延設された脚部１３ｂと、着座部１３ａの背面側に形成された背もたれ部１３ｃとを有するとともに、固定手段Ｎ（図２４参照）にて床に固定されている。
【００４８】
固定手段Ｎは、対向した位置に設置される遊技機（パチンコ遊技機Ｐ又はスロットマシンＳ）に応じて遊技機用椅子１３を前後方向（遊技機に対して近接又は離間する方向）又は左右方向（島設備の延設方向）に移動自在としつつ床に対して固定させ得るもので、図２４に示すように、脚部１３ｂの下端部に形成された受け体１３ｄと、床に固定されるとともに受け体１３ｄを任意位置で固定可能な固定プレート１４とから成る。
【００４９】
受け体１３ｄは、図２２に示すように、脚部１３ｂの下端部を挿通可能とされるとともに、所定位置に孔１３ｄｂが形成されており、当該孔１３ｄｂを介して脚部１３ｂを固定させるための部材を挿通させることにより、受け体１３ｄと脚部１３ｂとが連結されている。なお、受け体１３ｄと脚部１３ｂとの連結は、汎用的な連結手段（ボルト等の締結手段等）を用いたものであれば足りる。
【００５０】
また、受け体１３ｄは、その下端に円板状のフランジ部１３ｄａが形成されており、当該フランジ部１３ｄａには、複数（本実施形態においては５つ）の取付孔ｉが略同心円上に形成されている。これら取付孔ｉには、後述する取付用のボルトＢ４（図２４参照）が挿通可能とされている。なお、フランジ部１３ｄａは、受け体１３ｄと一体のもの或いは接続部を有して受け体１３ｄに連結されたものの何れであってもよい。
【００５１】
固定プレート１４は、図２３に示すように、矩形状の板状部材から成り、その隅部に形成された固定孔ｍと、所定位置に形成された複数の取付孔ｊとを有している。固定孔ｍには、固定用のボルトＢ３（図２４参照）が挿通可能とされており、当該ボルトＢ３を床に螺合させることにより、固定プレート１４を遊技場のホールにおける床に固定可能とされている。
【００５２】
また、固定プレート１４に形成された取付孔ｊは、受け体１３ｄに形成された取付孔ｉと合致し得るとともに、その内周縁面に取付用のボルトＢ４の雄ネジと螺合可能な雌ネジが形成されたものである。そして、床に固定された固定プレート１４における任意の取付孔ｊに対し、受け体１３ｄにおける任意の取付孔ｉを合致させつつボルトＢ４を螺合させることにより、当該受け体１３ｄを任意位置で固定させることができ、遊技機用椅子１３を対向する遊技機に応じて前後方向又は左右方向に移動自在としつつ床に対して固定させることができる。
【００５３】
例えば、対向する遊技機がパチンコ遊技機Ｐである場合、図２５（ａ）で示す如く、固定プレート１４において予め設定された所定の取付孔ｊに対し、受け体１３ｄにおける所定の取付孔ｉを合致させつつボルトＢ４を螺合させることにより、当該受け体１３ｄを任意位置で固定させるとともに、対向する遊技機がスロットマシンＳである場合、当該スロットマシンＳの種類や付随して取り付けられる台間装置に応じて、同図（ｂ）（ｃ）に示す如く、固定プレート１４において予め設定された所定の取付孔ｊに対し、受け体１３ｄにおける所定の取付孔ｉを合致させつつボルトＢ４を螺合させることにより、当該受け体１３ｄを任意位置で固定させる。
【００５４】
上記実施形態に係る遊技機用椅子１３によれば、対向した位置に設置される遊技機に応じて前後方向又は左右方向に移動自在としつつ床に対して固定させ得る固定手段Ｎを具備したので、パチンコ遊技機ＰとスロットマシンＳとを任意選択的に設置させた場合であっても、パチンコ遊技機Ｐ又はスロットマシンＳに対向した位置に遊技機用椅子１３を容易かつ確実に設置させることができる。
【００５５】
また、本実施形態に適用された遊技機用椅子１３は、遊技者が着座可能な着座部１３ａと、該着座部１３ａの下部から延設された脚部１３ｂとを有するとともに、固定手段Ｎは、脚部１３ｂの下端部に形成された受け体１３ｄと、床に固定されるとともに受け体１３ｄを任意位置で固定可能な固定プレート１４とから成るので、より容易かつ確実に、パチンコ遊技機Ｐ又はスロットマシンＳに対向した位置に遊技機用椅子１３を設置させることができる。
【００５６】
さらに、本実施形態に係る遊技機用椅子１３においては、島設備が、パチンコ遊技機Ｐ及びスロットマシンＳが任意位置に設置可能とされたので、パチンコ遊技機ＰとスロットマシンＳとを混合させつつ設置することができる島設備に対応して遊技機用椅子１３を規定の位置に設置することができる。なお、遊技機用椅子１３は、上述の如く対向する遊技機に応じた位置にて床に固定されるものに限らず、脚部１３ｂが一定の位置にて固定され、かつ、対向する遊技機に応じて着座部１３ａが脚部１３ｂに対して前後方向又は左右方向に移動自在とされたものであってもよい。
【００５７】
なお、本実施形態において適用される島設備によれば、遊技機を載置可能な載置台３を有するとともに、該載置台３に載置される遊技機に応じて上下方向に移動可能とされ、かつ、所定高さにて固定可能とされた載置手段１を具備したので、パチンコ遊技機Ｐ及びスロットマシンＳを低コストにて任意に設置することができるとともに、パチンコ遊技機ＰとスロットマシンＳとを混合させつつそれぞれを規定の設置状態にて容易かつ円滑に設置することができる。
【００５８】
特に、本実施形態に係る載置台３は、パチンコ遊技機Ｐが載置された状態の第１位置Ｐａと、スロットマシンＳが載置された状態の第２位置Ｓａとの間で移動可能とされるとともに、当該第１位置Ｐａの方が第２位置Ｓａより高い位置に設定されたので、パチンコ遊技機ＰとスロットマシンＳとを混合させつつそれぞれを規定の設置状態にて円滑かつ確実に設置することができる。
【００５９】
また、本実施形態に係る載置手段１は、左右一対の側板部２ａと、当該側板部２ａを連結する下板部２ｃ及び上板部２ｂとから成る枠体２を有し、載置台３が当該枠体２に取り付けられて構成されるとともに、当該載置台３に載置された遊技機（パチンコ遊技機Ｐ又はスロットマシンＳ）の上部を上板部２ｂにて支持するので、載置台３を含む枠体２全体を遊技機に応じて上下方向に移動することができ、遊技機を設置する際の作業性をより向上させることができる。さらに、枠体２の上下方向に対する移動を案内する案内部（Ｈ２ａ）が形成されたので、パチンコ遊技機ＰとスロットマシンＳとを混合させつつそれぞれを規定の設置状態にてより円滑かつ確実に設置することができる。
【００６０】
またさらに、本実施形態によれば、パチンコ遊技機Ｐから排出された遊技球を回収する遊技球回収手段４と、スロットマシンＳから排出されたメダルを回収するメダル回収手段５とが上下に並設されるとともに、遊技球回収手段４の方がメダル回収手段５より上側に位置するので、パチンコ遊技機Ｐ及びスロットマシンＳから排出される遊技球及びメダルの回収を確実かつ円滑に行わせることができる。
【００６１】
また、本実施形態に係る載置台３は、遊技機（具体的には、スロットマシンＳ）を載置する部位の近傍に切欠きｋが形成され、スロットマシンＳから排出されたメダルをメダル回収手段５まで案内するメダル案内手段８が当該切欠きｋに取付可能とされたので、載置手段１（具体的には、載置台３）にスロットマシンＳを載置させた際のメダルの回収を確実に行わせることができる。
【００６２】
さらに、本実施形態によれば、遊技機を載置可能とされるとともに載置される遊技機に応じて前後方向に移動して所定位置にて固定可能とされた載置台３が取り付けられた載置手段１を具備したので、パチンコ遊技機Ｐ及びスロットマシンＳを低コストにて任意に設置することができるとともに、パチンコ遊技機ＰとスロットマシンＳとを混合させつつそれぞれを規定の設置状態にて容易かつ円滑に設置することができる。
【００６３】
特に、本実施形態に係る載置台３は、パチンコ遊技機Ｐが載置された状態の前後方向第１位置Ｐｂと、スロットマシンＳが載置された状態の前後方向第２位置Ｓｂとの間で移動可能とされるとともに、当該前後方向第１位置Ｐｂの方が前後方向第２位置Ｓｂより前方の位置に設定されたので、パチンコ遊技機ＰとスロットマシンＳとを混合させつつそれぞれを規定の設置状態にて円滑かつ確実に設置することができる。
【００６４】
またさらに、本実施形態によれば、パチンコ遊技機Ｐから排出された遊技球を遊技球回収手段４まで案内する遊技球案内手段６を具備したので、載置手段１にパチンコ遊技機Ｐを載置させた際の遊技球の回収を確実に行わせることができる。加えて、本実施形態によれば、遊技球案内手段６と、メダル案内手段８とを具備したので、パチンコ遊技機Ｐから排出された遊技球とスロットマシンＳから排出されたメダルとを区分けして、これら遊技球及びメダルが混入してしまうのを回避しつつそれぞれを確実に回収させることができる。
【００６５】
さらに、本実施形態に係る載置手段１は、左右一対の側板部２ａと、当該側板部２ａを連結する下板部２ｃ及び上板部２ｂとから成る枠体２を有し、載置台３が当該枠体２に取り付けられて構成されるとともに、当該枠体２に対して載置台３が前後に移動可能とされ、かつ、当該載置台３に載置された遊技機（パチンコ遊技機Ｐ又はスロットマシンＳ）の上部を上板部２ｂにて支持するので、載置する遊技機に応じて載置台３を前後させつつその遊技機の上部を支持させることができ、遊技機を設置する際の作業性をより向上させることができる。
【００６６】
また、パチンコ遊技機Ｐから排出された遊技球を回収する遊技球回収手段４と、スロットマシンＳから排出されたメダルを回収するメダル回収手段５とが上下に並設されるとともに、遊技球回収手段４がメダル回収手段５より上方の位置に配設されたので、パチンコ遊技機ＰとスロットマシンＳとを混合して設置させた場合であっても、当該パチンコ遊技機Ｐ及びスロットマシンＳのそれぞれから排出された遊技球及びメダルを確実かつ円滑に回収させることができる。
【００６７】
すなわち、通常、パチンコ遊技機Ｐの方がスロットマシンＳより高い位置に設置されることから、パチンコ遊技機Ｐから排出される遊技球を回収する遊技球回収手段４の方がスロットマシンＳから排出されるメダルを回収するメダル回収手段５より上方の位置に配設することで、遊技機の規定の設置位置に応じた遊技球又はメダルの回収を行わせることができ、遊技球及びメダルの確実かつ円滑な回収を行わせることができるのである。
【００６８】
特に、本実施形態において、パチンコ遊技機Ｐの方がスロットマシンＳより上方の位置に載置されたので、パチンコ遊技機ＰとスロットマシンＳとを混合させつつそれぞれを規定の設置状態にて容易かつ円滑に設置することができる。すなわち、島設備に設置される遊技機においては、パチンコ遊技機Ｐに対する操作位置（ハンドル位置）はスロットマシンＳに対する遊技位置（押圧ボタン位置）より高い位置にあり、パチンコ遊技機Ｐの方がスロットマシンＳより上方の位置にて遊技されるので、その遊技位置に応じた規定の設置状態とすることができるのである。
【００６９】
またさらに、本実施形態に係る遊技球回収手段４及びメダル回収手段５は、それぞれ独立した駆動源（具体的には、モータＭ１及びモータＭ２）を具備するとともに、それぞれが任意速度で駆動され得るので、回収すべき遊技媒体（遊技球又はメダル）に応じて駆動速度を設定（例えば遊技球回収手段４の搬送速度の方がメダル回収手段５の搬送速度より遅く設定する等）することができ、より確実かつ円滑に遊技球又はメダルを回収させることができる。
【００７０】
さらに、本実施形態によれば、パチンコ遊技機Ｐから排出された遊技球を回収する遊技球回収手段４と、スロットマシンＳから排出されたメダルを回収するメダル回収手段５とが上下に並設されるとともに、当該遊技球回収手段４及びメダル回収手段５は、島設備の幅方向Ｗに対して中央で延設されたので、パチンコ遊技機ＰとスロットマシンＳとを混合して設置させた場合であっても、当該パチンコ遊技機Ｐ及びスロットマシンＳのそれぞれから排出された遊技球及びメダルを確実かつ円滑に回収させることができる。
【００７１】
すなわち、上述したように、通常、パチンコ遊技機Ｐの方がスロットマシンＳより高い位置に設置されることから、パチンコ遊技機Ｐから排出される遊技球を回収する遊技球回収手段４の方がスロットマシンＳから排出されるメダルを回収するメダル回収手段５より上方の位置に配設することで、遊技機の規定の設置位置に応じた遊技球又はメダルの回収を行わせることができ、遊技球及びメダルの確実かつ円滑な回収を行わせることができるのである。
【００７２】
加えて、遊技球回収手段４及びメダル回収手段５が島設備の幅方向Ｗに対して中央で延設されたので、島設備における一方の面に設置された遊技機から遊技球回収手段４及びメダル回収手段５までの離間寸法と、島設備における他方の面に設置された遊技機から遊技球回収手段４及びメダル回収手段５までの離間寸法とを略同一とすることができ、パチンコ遊技機から排出された遊技球の回収とスロットマシンから排出されたメダルの回収とを円滑かつ確実に行わせることができる。
【００７３】
さらに、本実施形態によれば、パチンコ遊技機Ｐに遊技球を補給する遊技球補給手段１１と、スロットマシンＳにメダルを補給するメダル補給手段１２とを有するとともに、当該遊技球補給手段１１及びメダル補給手段１２は、左右に並設された搬送コンベアから成るので、パチンコ遊技機ＰとスロットマシンＳとを混合して設置させた場合であっても、当該パチンコ遊技機Ｐ及びスロットマシンＳのそれぞれに補給する遊技球及びメダルを確実かつ円滑に補給させることができる。
【００７４】
特に、本実施形態においては、遊技球補給手段１１からパチンコ遊技機Ｐに遊技球を案内する第１案内手段Ａ１と、メダル補給手段１２からスロットマシンＳにメダルを案内する第２案内手段Ａ２とを有するとともに、設置される遊技機に応じて第１案内手段Ａ１及び第２案内手段Ａ２が遊技球補給手段１１又はメダル補給手段１２の任意位置に設置可能とされたので、設置島に対して任意の位置にパチンコ遊技機Ｐ又はスロットマシンＳを設置することができる。
【００７５】
また、本実施形態に係る遊技球補給手段１１及びメダル補給手段１２は、それぞれ独立した搬送ベルト１１ａ、１２ａを有するので、遊技球補給手段１１又はメダル補給手段１２における搬送ベルト１１ａ、１２ａの何れか一方が破損又は変形した際、その搬送ベルトのみ交換することができる。また、遊技媒体（遊技球又はメダル）に応じた搬送面を有した搬送ベルト１１ａ、１２ａを用いることができ、より確実かつ円滑に遊技球及びメダルを搬送して対応する遊技機に補給させることができる。
【００７６】
以上、本実施形態について説明したが、本発明はこれに限定されるものではなく、適用される島設備は、パチンコ遊技機Ｐ及びスロットマシンＳから成る遊技機を混合させて設置可能なものであれば足り、例えば、載置台３が上下方向又は前後方向に移動せず島設備に対して固定位置（但し、パチンコ遊技機Ｐの方がスロットマシンＳより高い位置に載置されたものが好ましい）とされたものであってもよい。
【００７７】
また、遊技媒体（遊技球及びメダル）を回収するための遊技球回収手段４及びメダル回収手段５は、上記実施形態のものに限定されず、他の形態のものとしてもよい。なお、遊技球及びメダルを混在させつつ回収した後、それら遊技球とメダルとを選別してパチンコ遊技機Ｐ及びスロットマシンＳに補給するようにしてもよい。さらに、遊技球補給手段１０及びメダル補給手段１２は、上記実施形態のものに限定されず、他の形態のものとしてもよく、或いは遊技機に対する遊技球又はメダルの何れか一方若しくは両方の補給を作業員が手作業にて行うものとしてもよい。
【産業上の利用可能性】
【００７８】
パチンコ遊技機及びスロットマシンから成る遊技機を任意選択的に設置可能な島設備のパチンコ遊技機又はスロットマシンと対向した位置に設置されて遊技者が着座しつつ遊技可能とされた遊技機用椅子であって、対向した位置に設置される遊技機に応じて前後方向又は左右方向に移動自在としつつ床に対して固定させ得る固定手段を具備したものであれば、外観形状が異なるもの或いは他の機能が付加されたもの等にも適用することができる。
【符号の説明】
【００７９】
１  載置手段
２  枠体
３  載置台
４  遊技球回収手段
５  メダル回収手段
６  遊技球案内手段
７  支持フレーム
８  メダル案内手段
９  遊技球揚送手段
１０  メダル揚送手段
１１  遊技球補給手段
１２  メダル補給手段
１３  遊技機用椅子
１４  固定プレート（固定手段）
Ｐ  パチンコ遊技機
Ｓ  スロットマシン
【図１】
2014108235.tif 000003
【図２】
2014108235.tif 000004
【図３】
2014108235.tif 000005
【図４】
2014108235.tif 000006
【図５】
2014108235.tif 000007
【図６】
2014108235.tif 000008
【図７】
2014108235.tif 000009
【図８】
2014108235.tif 000010
【図９】
2014108235.tif 000011
【図１０】
2014108235.tif 000012
【図１１】
2014108235.tif 000013
【図１２】
2014108235.tif 000014
【図１３】
2014108235.tif 000015
【図１４】
2014108235.tif 000016
【図１５】
2014108235.tif 000017
【図１６】
2014108235.tif 000018
【図１７】
2014108235.tif 000019
【図１８】
2014108235.tif 000020
【図１９】
2014108235.tif 000021
【図２０】
2014108235.tif 000022
【図２１】
2014108235.tif 000023
【図２２】
2014108235.tif 000024
【図２３】
2014108235.tif 000025
【図２４】
2014108235.tif 000026
【図２５】
2014108235.tif 000027